(57)【特許請求の範囲】
【請求項１】
車両に搭載され、音声入出力手段、及び携帯電話との通信を行う通信手段を備え、前記通信手段を用いて前記携帯電話との間に音声パスを開通させた状態で前記音声入出力手段による電話通話を可能とした車載ハンズフリー電話装置であって、
記憶手段と、
所定のタイミングで前記携帯電話から前記通信手段を介して発着信履歴情報を含む情報取得すると共に、該取得した情報を前記記憶手段に記憶させる制御手段と、を備え、
前記制御手段は、
前記携帯電話から発着信履歴情報を含む情報を取得している間に前記携帯電話を用いた発着信が発生した際には、前記携帯電話から前記通信手段を介して取得された発着信履歴情報に前記発生した発着信に関する情報が反映されているか否かを判定し、
反映されている場合には、前記携帯電話から前記通信手段を介して取得された発着信履歴情報を前記記憶手段に記憶させ、
反映されていない場合には、前記携帯電話から前記通信手段を介して取得された発着信履歴情報に前記発生した発着信に関する情報を付加して前記記憶手段に記憶させることを特徴とする、
車載ハンズフリー電話装置。
【請求項２】
請求項１に記載の車載ハンズフリー電話装置であって、
前記制御手段は、前記携帯電話から発着信履歴情報を含む情報を取得している間に前記携帯電話を用いた発着信が発生した際には、前記携帯電話から前記通信手段を介して取得された発着信履歴情報に前記発生した発着信に関する情報が反映されているか否かを判定し、反映されていない場合には、前記通信手段を介して前記携帯電話に対して前記発着信履歴情報の再送信を要求することを特徴とする、
車載ハンズフリー電話装置。
【請求項３】
請求項１に記載の車載ハンズフリー電話装置であって、
前記制御手段は、
前記発生した発着信に関する情報のうち少なくとも一部が発着信時刻のみを含む場合、当該発着信時刻における相手先の電話番号を送信するように、前記通信手段を介して前記携帯電話に対して要求することを特徴とする、
車載ハンズフリー電話装置。
【請求項４】
車両に搭載される車載ハンズフリー電話装置の発着信履歴情報更新方法であって、
前記車載ハンズフリー電話装置に含まれるコンピュータにより実行されるステップとして、
携帯電話から発着信履歴情報を含む情報を取得するステップと、
前記発着信履歴情報を含む情報を取得している間に前記携帯電話を用いた発着信が発生したか否かを判定するステップと、
前記携帯電話から前記通信手段を介して取得された発着信履歴情報に前記発生した発着信に関する情報が反映されているか否かを判定するステップと、
前記取得された発着信履歴情報に前記発生した発着信に関する情報が反映されている場合に、前記携帯電話から前記通信手段を介して取得された発着信履歴情報を記憶手段に記憶させるステップと、
前記取得された発着信履歴情報に前記発生した発着信に関する情報が反映されていない場合に、前記携帯電話から前記通信手段を介して取得された発着信履歴情報に前記発生した発着信に関する情報を付加して前記記憶手段に記憶させるステップと、
を有することを特徴とする、
車載ハンズフリー電話装置の発着信履歴情報更新方法。
【発明の詳細な説明】
【技術分野】
【０００１】
本発明は、通信手段を用いて携帯電話との間に音声パスを開通させた状態で、音声入出力手段による電話通話を可能とした車載ハンズフリー電話装置、及びその発着信履歴情報更新方法に関し、特に、携帯電話が保持している発着信履歴等の情報を携帯電話と共有可能な車載ハンズフリー電話装置、及びその発着信履歴情報更新方法に関する。
【背景技術】
【０００２】
従来、車両において乗員が携帯電話を把持することなく電話通話ができるようにした車載ハンズフリー電話装置が実用化されている（例えば、非特許文献１参照）。この車載ハンズフリー電話装置は、車室内に持ち込まれた携帯電話との間にBluetooth（登録商標）等によるネットワークを構築し、車両側設備であるマイクやスピーカによって携帯電話を介した電話通話を可能としている。
【０００３】
車載ハンズフリー電話装置では、単に携帯電話の電話通話機能を拡張するのみならず、携帯電話が保持している電話帳や発着信履歴等の情報を共有し、例えばナビゲーション表示用の液晶ディスプレイ装置に発信先候補を表示する等の処理を行うことが可能となっている。
【０００４】
これに関連し、携帯電話機から自動転送された発信履歴データや着信履歴データのうちから所望の電話番号を選択して発信できるようにした車載ハンズフリー装置についての発明が開示されている（例えば、特許文献１参照）。この装置では、車両システムの起動時等において携帯電話から発着信履歴データを取得した後は、発着信履歴データを車両側で自己管理するようにしている。
【先行技術文献】
【特許文献】
【０００５】
【特許文献１】特開２００９−８１８２４号公報
【非特許文献】
【０００６】
【非特許文献１】トヨタ自動車株式会社、「アルファード・ヴェルファイア新型車解説書（品番ＮＭ０９００Ｊ）」、トヨタ自動車株式会社サービス部、２００８年８月５日発行、第１０章  ボデー＆エレクトリカル、ｐ１０−４９２〜１０−４９５
【発明の概要】
【発明が解決しようとする課題】
【０００７】
しかしながら、上記特許文献１に記載の装置では、携帯電話から発着信履歴情報が送信されている最中に、携帯電話を用いた発着信が発生した場合について考慮がなされていない。
【０００８】
このような場合に、当該発生した発着信の履歴を含めた情報送信が行われるか否かは、携帯電話の仕様によって異なるのが現状である。従って、特許文献１に記載の装置のように、発生した発着信に関する情報を必ず車両側で追加して格納するものとすれば、当該発生した発着信に関する情報が重複して格納される可能性があり、記憶領域の浪費につながるおそれがある。逆に、車両側において、このような場面で何ら手段を講じないものとすれば、当該発生した発着信に関する情報が車両側に格納されないことになる可能性がある。
【０００９】
本発明はこのような課題を解決するためのものであり、携帯電話との情報共有を、より正確且つリアルタイムに行うことが可能な車載ハンズフリー電話装置、及びその発着信履歴情報更新方法を提供することを、主たる目的とする。
【課題を解決するための手段】
【００１０】
上記目的を達成するための本発明の第１の態様は、
車両に搭載され、音声入出力手段、及び携帯電話との通信を行う通信手段を備え、前記通信手段を用いて前記携帯電話との間に音声パスを開通させた状態で前記音声入出力手段による電話通話を可能とした車載ハンズフリー電話装置であって、
記憶手段と、
所定のタイミングで前記携帯電話から前記通信手段を介して発着信履歴情報を含む情報取得すると共に、該取得した情報を前記記憶手段に記憶させる制御手段と、を備え、
前記制御手段は、
前記携帯電話から発着信履歴情報を含む情報を取得している間に前記携帯電話を用いた発着信が発生した際には、前記携帯電話から前記通信手段を介して取得された発着信履歴情報に前記発生した発着信に関する情報が反映されているか否かを判定し、
反映されている場合には、前記携帯電話から前記通信手段を介して取得された発着信履歴情報を前記記憶手段に記憶させ、
反映されていない場合には、前記携帯電話から前記通信手段を介して取得された発着信履歴情報に前記発生した発着信に関する情報を付加して前記記憶手段に記憶させることを特徴とする、
車載ハンズフリー電話装置である。
【００１１】
この本発明の第１の態様によれば、携帯電話から発着信履歴情報を含む情報を取得している間に携帯電話を用いた発着信が発生した際には、取得された発着信履歴情報に、発生した発着信に関する情報が反映されているか否かを判定し、反映されている場合には取得された発着信履歴情報を記憶手段に記憶させ、反映されていない場合に取得された発着信履歴情報に、発生した発着信に関する情報を付加して記憶手段に記憶させるため、携帯電話との情報共有を、より正確且つリアルタイムに行うことができる。
【００１２】
本発明の第１の態様において、
前記制御手段は、前記携帯電話から発着信履歴情報を含む情報を取得している間に前記携帯電話を用いた発着信が発生した際には、前記携帯電話から前記通信手段を介して取得された発着信履歴情報に前記発生した発着信に関する情報が反映されているか否かを判定し、反映されていない場合には、前記通信手段を介して前記携帯電話に対して前記発着信履歴情報の再送信を要求することを特徴とするものとしてもよい。
【００１３】
また、本発明の第１の態様において、
前記制御手段は、
前記発生した発着信に関する情報のうち少なくとも一部が発着信時刻のみを含む場合、当該発着信時刻における相手先の電話番号を送信するように、前記通信手段を介して前記携帯電話に対して要求することを特徴とするものとしてもよい。
【００１４】
こうすれば、発着信時刻のみが把握され、相手先の電話番号等が不明な場合にも対応することができる。
【００１５】
本発明の第２の態様は、
車両に搭載される車載ハンズフリー電話装置の発着信履歴情報更新方法であって、
前記車載ハンズフリー電話装置に含まれるコンピュータにより実行されるステップとして、
携帯電話から発着信履歴情報を含む情報を取得するステップと、
前記発着信履歴情報を含む情報を取得している間に前記携帯電話を用いた発着信が発生したか否かを判定するステップと、
前記携帯電話から前記通信手段を介して取得された発着信履歴情報に前記発生した発着信に関する情報が反映されているか否かを判定するステップと、
前記取得された発着信履歴情報に前記発生した発着信に関する情報が反映されている場合に、前記携帯電話から前記通信手段を介して取得された発着信履歴情報を記憶手段に記憶させるステップと、
前記取得された発着信履歴情報に前記発生した発着信に関する情報が反映されていない場合に、前記携帯電話から前記通信手段を介して取得された発着信履歴情報に前記発生した発着信に関する情報を付加して前記記憶手段に記憶させるステップと、
を有することを特徴とする、
車載ハンズフリー電話装置の発着信履歴情報更新方法である。
【００１６】
この本発明の第２の態様によれば、携帯電話から発着信履歴情報を含む情報を取得している間に携帯電話を用いた発着信が発生した際には、取得された発着信履歴情報に、発生した発着信に関する情報が反映されているか否かを判定し、反映されている場合には取得された発着信履歴情報を記憶手段に記憶させ、反映されていない場合に取得された発着信履歴情報に、発生した発着信に関する情報を付加して記憶手段に記憶させるため、携帯電話との情報共有を、より正確且つリアルタイムに行うことができる。
【発明の効果】
【００１７】
本発明によれば、携帯電話との情報共有を、より正確且つリアルタイムに行うことが可能な車載ハンズフリー電話装置、及びその発着信履歴情報更新方法を提供することができる。
【図面の簡単な説明】
【００１８】
【図１】本発明の一実施例に係る車載ハンズフリー電話装置１のシステム構成例である。
【図２】本発明の一実施例に係る情報更新制御部２２が実行する特徴的な処理の流れを示すフローチャートである。
【図３】情報更新制御部２２が実行する特徴的な処理の流れを示すフローチャートの他の例である。
【図４】情報更新制御部２２が実行する特徴的な処理の流れを示すフローチャートの他の例である。
【図５】携帯電話７０からの情報受信中に発着信が発生しなかった場合の、処理及び格納される情報の時間的変化を模式的に示す図である。
【図６】携帯電話７０からの情報受信中に発着信が発生した場合の、処理及び格納される情報の時間的変化を模式的に示す図である。
【発明を実施するための形態】
【００１９】
以下、本発明を実施するための形態について、添付図面を参照しながら実施例を挙げて説明する。
【実施例】
【００２０】
以下、図面を参照し、本発明の一実施例に係る車載ハンズフリー電話装置について説明する。本発明の車載ハンズフリー電話装置は、車室内に存在する携帯電話との間で通信ネットワークを構築し、携帯電話を介して行われる電話通話を、車両に搭載された音声入出力装置（マイク、スピーカ等）を用いることにより、携帯電話を把持することなく可能としている。
【００２１】
また、本発明の車載ハンズフリー電話装置は、携帯電話内に保持されている電話帳や発着信履歴、画像等の情報を携帯電話と共有することにより、当該電話帳に登録された相手先への発信を車両側の操作によって行う等、携帯電話の機能の一部を一時的に車両側に移行させることができる。本発明の車載ハンズフリー電話装置は、係る一時的な機能移行のための情報の共有を、より正確且つリアルタイムに行うことを目的の一つとする。
【００２２】
［構成］
図１は、本発明の一実施例に係る車載ハンズフリー電話装置１のシステム構成例である。車載ハンズフリー電話装置１は、主要な構成として、ディスプレイ装置１０と、入力デバイス１２と、ナビ／オーディオボード２０と、ＢＴ（Bluetooth；登録商標）モジュール３０と、音声入出力装置４０と、を備える。車載ハンズフリー電話装置１は、車両電源によって動作し、車両システムの起動時（ＡＣＣオン時）に動作開始するように車両内の他の機器と接続されている。
【００２３】
ディスプレイ装置１０は、例えばタッチパネルとして構成される液晶ディスプレイ装置であり、車載ハンズフリー電話装置１の動作に関する種々の情報を表示する他、画面上に設定されるＧＵＩ（Graphical  User  Interface）スイッチにユーザが触れることによって種々の入力操作を行わせたりすることができる。また、ディスプレイ装置１０は、ナビゲーションシステムその等の車載システムと共用され、ナビゲーション表示等の情報表示を行うものとしてもよい。
【００２４】
入力デバイス１２は、上記ＧＵＩスイッチによる入力操作以外の入力操作をユーザに行わせるためのデバイスである。入力デバイス１２は、例えばステアリングパッド等、運転者により操作しやすい箇所に設置される。入力デバイス１２は、機械式スイッチ、ボリュームコントローラ、ハプティックデバイス等を含む。
【００２５】
ナビ／オーディオボード２０は、ＣＰＵ（Central  Processing  Unit）等の処理装置や記憶装置、タイマー、内部バス等が組み合わされて構成されたマイクロコンピュータであり、ＲＯＭ（Read  Only  Memory）等のプログラムメモリに記憶されたプログラムを処理装置が実行することにより機能する機能ブロックとして、ハンズフリー通話制御部２１や情報更新制御部２２を備える。これらの機能ブロックの機能については後述する。
【００２６】
また、ナビ／オーディオボード２０は、ワーキングメモリ２３、不揮発性メモリ２４その他の記憶装置を備える。
【００２７】
ワーキングメモリ２３は、例えばＲＡＭ（Random  Access  Memory）やレジスタ等であり、不揮発性メモリ２４は、例えばＥＥＰＲＯＭ（Electrically  Erasable  and  Programmable  Read  Only  Memory）やフラッシュメモリ、ハードディスク、ＣＤ−Ｒ、ＤＶＤ−Ｒ等である。なお、これらの区別は便宜的なものであり、フラッシュメモリ等がワーキングメモリとして機能する場合等もあり得るし、ワーキングメモリ２３と不揮発性メモリ２４は、同一の不揮発性メモリにおける異なる領域であっても構わない。
【００２８】
ＢＴモジュール３０は、予め不揮発性メモリ２４に登録され、車室内に持ち込まれた携帯電話機７０との間で無線通信を行うためのアンテナ、ＲＦ（Radio  Frequency）処理部、ＢＢ（Base Band）処理部、Bluetooth用ＣＰＵ等を備える。
【００２９】
ＲＦ処理部は、アンテナから入力されたＲＦ信号に、逆拡散処理及び復調処理等の下位レイヤの処理を行ってＢＢ処理部に出力する。ＢＢ処理部は、無線通信を行うためのプロトコルを規定しており、ＲＦ処理部から入力された信号に所定のベースバンド処理を施し、得られた信号をBluetooth用ＣＰＵに入力する。Bluetooth用ＣＰＵは、携帯電話機７０との間で無線通信を確立する処理等を行う。Bluetooth用ＣＰＵからアンテナに向けて信号を出力する場合は、これらの逆の処理が行われる。
【００３０】
ここで、Bluetoothは、2.4GHzのISMバンド(Industry  Science  Medical  band）を利用した周波数ホッピング型のスペクトラム拡散通信方式を採用し、1Mbps以上の通信速度で無線通信を行うことができる。
【００３１】
音声入出力装置４０は、例えばオーバーヘッドコンソールに設置された音声認識マイクや、車両スピーカを含む。
【００３２】
音声認識マイクにより入力された音声信号は、ＢＴモジュール３０に供給される。この音声信号は、ＢＴモジュール３０において所定の音声処理が行われた後、携帯電話機７０に送信される。車両スピーカは、ＢＴモジュール３０を介して入力された携帯電話機７０の音声信号を出力する。
【００３３】
このように、音声入出力装置４０を用いることにより、車室内の乗員は、携帯電話その他のデバイスを把持することなく、電話通話を含めた音声の入出力を行うことが可能となる。
【００３４】
本実施例の車載ハンズフリー電話装置１が対象とする携帯電話７０は、車載ハンズフリー電話装置１と同様に、ＢＴモジュールを内蔵している。これによって、車載ハンズフリー電話装置１と携帯電話７０は互いの距離が１０［m］程度以内であれば、ピコネットと称される無線ＬＡＮを構築することによって、無線通信可能となっている。ピコネットにおいて、例えば、車載ハンズフリー電話装置１はマスタとして機能し、携帯電話機７０はスレーブとして機能する。
【００３５】
車載ハンズフリー電話装置１は、携帯電話７０及び携帯電話基地局８０を介して、音声入出力装置４０により通信相手の電話機と電話通信を行わせることができる（以下、係る電話通話を「ハンズフリー通話」と称する）。相手先の電話機は、携帯電話であってもよいし、固定電話であってもよい。
【００３６】
なお、本発明の適用上、車載ハンズフリー電話装置１と携帯電話７０の間の通信は、Bluetooth以外の通信手段（有線、無線を問わない）によって実現されてもよい。
【００３７】
また、複数の携帯電話７０が車載ハンズフリー電話装置１に同時に登録されてもよい。この場合、複数の携帯電話が車載ハンズフリー電話装置１によって同時に認識された際には、予め不揮発性メモリ２４等に登録されている優先順位に従って、車載ハンズフリー電話装置１に接続される携帯電話が選択される。
【００３８】
［ハンズフリー通話のための制御］
ハンズフリー通話制御部２１は、下記のように、ハンズフリー通話を開始するための発信制御及び着信制御を行う。
【００３９】
発信制御は、ユーザがハンズフリー通話の開始を指示するための入力操作を行った際に開始される。発信制御が開始されると、ユーザは、ダイヤル発信、電話帳発信、発信履歴発信、着信履歴発信、ワンタッチダイヤル発信、音声認識発信等の方法により、所望の電話番号に電話をかけるように指示することができる。
【００４０】
電話帳発信や発信履歴発信等が選択された場合、ハンズフリー通話制御部２１は、不揮発性メモリ２４に記憶され、予めワーキングメモリ２３上に展開されている電話帳情報や発着信履歴情報を読み出してディスプレイ装置１０にＧＵＩスイッチとして表示させる。そして、ハンズフリー通話制御部２１は、ユーザが当該ＧＵＩスイッチに触れるか音声入力その等の手段によって選択した番号に発信するように、ＢＴモジュール３０に指示信号を送出する。ＢＴモジュール３０は、ハンズフリー通話制御部２１によって指示された番号に発信するように携帯電話７０に指示し、携帯電話７０は指示された番号に発信を行う。
【００４１】
着信制御は、携帯電話７０に電話が着信した際に開始される。携帯電話７０に電話が着信すると、ＢＴモジュール３０は、ハンズフリー通話制御部２１に着信があった旨を通知するための信号を送信する。
【００４２】
ハンズフリー通話制御部２１は、例えば着信があった旨を音声出力によってユーザに通知すると共に、ディスプレイ装置１０上に電話番号等を表示し、更にハンズフリー通話を開始するか否かをユーザに選択させるためのＧＵＩスイッチを設定する。そして、ユーザが当該ＧＵＩスイッチに触れるか音声入力その他の手段によって通話開始を指示すると、ハンズフリー通話が開始されることになる。
【００４３】
［情報更新のための制御］
情報更新制御部２２は、所定のタイミングで、携帯電話７０からＢＴモジュール３０を介して電話帳情報や発着信履歴情報（発信履歴情報及び着信履歴情報）、画像情報等を取得し、取得した電話帳情報や発着信履歴情報、画像情報等を不揮発性メモリ２４に上書き記憶させる。なお、不揮発性メモリ２４に情報を記憶させる際には、必要に応じてワーキングメモリ２３に一時的に情報を格納する。
【００４４】
ここで、所定のタイミングとは、例えば車両システムの起動時（ＡＣＣオン時）や、ユーザによって上記情報取得を指示するための入力操作がなされた時である。
【００４５】
これによって、携帯電話７０によって保持されている電話帳情報や発着信履歴情報を携帯電話と共有することができ、電話帳情報や発着信履歴情報に含まれる相手先への発信を車両側の操作によって行う等、携帯電話の機能の一部を一時的に車両側に移行させることができる。
【００４６】
ところで、このような携帯電話７０からの情報送信の最中に、携帯電話７０を用いた発着信が発生する場合がある。このような場合に、当該発生した発着信の履歴を含めた情報送信が行われるか否かは、携帯電話７０の仕様によって異なるのが現状である。また、情報送信の最中に発着信が発生した場合に、情報送信を一時中断するか否かについても、携帯電話７０の仕様によって異なっている。
【００４７】
従って、情報送信の最中に発着信が発生した場合に、何ら手段を講じないものとすれば、当該発生した発着信に関する情報が車両側に格納されないことになる可能性がある。逆に、当該発生した発着信に関する情報を必ず車両側で追加して格納するものとすれば、当該発生した発着信に関する情報が重複して格納される可能性があり、記憶領域の浪費につながるおそれがある。
【００４８】
本実施例に係る情報更新制御部２２では、このような状況に鑑み、携帯電話７０から情報送信が行われている間に携帯電話７０を用いた発着信が発生した際には、携帯電話７０からＢＴモジュール３０を介して取得された発着信履歴情報に当該発生した発着信に関する情報が反映されているか否かを判定し、反映されていない場合に、携帯電話７０から取得された発着信履歴情報に当該発生した発着信に関する情報を付加して不揮発性メモリ２４に記憶させる処理を行っている。
【００４９】
これによって、携帯電話７０との情報の共有を、より正確且つリアルタイムに行うことができる。
【００５０】
なお、携帯電話７０からの情報送信中以外のタイミングで発着信が発生した場合は、当該発生した発着信に関する情報をワーキングメモリ２３等に保持しておき（これによって当該トリップ中は最新の発着信履歴情報として用いられる）、車両システムのシャットダウン時等に不揮発性メモリ２４に記憶させるものとしてよい。
【００５１】
［処理フロー（１）］
以下、情報更新制御部２２が携帯電話７０から情報を取得して不揮発性メモリ２４に記憶させる際の処理について説明する。
【００５２】
図２は、本発明の一実施例に係る情報更新制御部２２が実行する特徴的な処理の流れを示すフローチャートである。本フローは、前述のように、車両システムの起動時（ＡＣＣオン時）や、ユーザによって上記情報取得を指示するための入力操作がなされた時等の所定のタイミングで開始される。
【００５３】
まず、情報更新制御部２２は、ＢＴモジュール３０を介して（以下省略する）、携帯電話７０に対してＰＢＡＰ（Phone  Book  Access  Profile）接続を要求する（Ｓ１００）。ＰＢＡＰとは、Bluetoothにおける電話帳等のデータを転送するためのプロファイルである。
【００５４】
次に、情報更新制御部２２は、携帯電話７０に対して電話帳情報の送信を要求し（Ｓ１０２）、次いで発着信履歴情報の送信を要求する（Ｓ１０４）。携帯電話７０が送信し、車載ハンズフリー電話装置１が受信した受信情報は、例えばワーキングメモリ２３に格納され、最新の情報として利用される他、下記のように不揮発性メモリ２４に格納され、次回以降のトリップにおいて用いられる。
【００５５】
次に、情報更新制御部２２は、携帯電話７０からの情報受信について、受信エラーが発生したか否かを判定する（Ｓ１０６）。受信エラーが発生した場合は、本フローを終了する。
【００５６】
情報更新制御部２２は、受信エラーが発生しなかった場合は、情報更新制御部２２は、携帯電話７０を用いた発着信が発生したか否かを判定する（Ｓ１０８）。
【００５７】
情報更新制御部２２は、携帯電話７０を用いた発着信が発生した場合は、発着信に関する情報をワーキングメモリ２３に格納する（Ｓ１１０）。そして、ＰＢＡＰ接続が中断したか否かを判定する（Ｓ１１２）。
【００５８】
ここで、「発着信に関する情報」とは、例えば車両側で把握される情報であり、少なくとも発着信時刻を含み、相手先の電話番号や登録名等を含む場合もある。また、発着信時にＰＢＡＰ接続が中断するか否かは、携帯電話７０の仕様に依存する。
【００５９】
情報更新制御部２２は、ＰＢＡＰ接続が中断した場合は、当該発着信による通話、或いは発着信状態の終了を待って（Ｓ１１４）、再度、携帯電話７０に対してＰＢＡＰ接続を要求する。
【００６０】
情報更新制御部２２は、Ｓ１１２においてＰＢＡＰ接続が中断しなかたと判定された場合、及びＳ１０８において発着信が発生しなかったと判定された場合（Ｓ１１２においてＰＢＡＰ接続が中断したと判定され、その後、発着信が発生しなかったと判定された場合を含む）には、電話帳情報や発着信履歴情報の受信が終了したか否かを判定する（Ｓ１１６）。本判定は、例えば、送信される情報の末尾に付加される所定のフラグ等を検出することによって行うことができる。電話帳情報や発着信履歴情報の受信が終了していない場合は、Ｓ１０６に戻る。
【００６１】
情報更新制御部２２は、電話帳情報や発着信履歴情報の受信が終了した場合は、続いて、電話帳情報や発着信履歴情報の受信が成功したか否かを判定する（Ｓ１１８）。ここで「情報の受信が成功した」とは、１件以上の更新・追加情報が受信されたことを意味する。なお、受信された情報は、ワーキングメモリ２３上の、不揮発性メモリ２４から展開された発着信履歴情報とは別のアドレスに格納される。電話帳情報や発着信履歴情報の受信が成功しなかった場合は、本フローを終了する。
【００６２】
情報更新制御部２２は、電話帳情報や発着信履歴情報の受信が成功した場合は、受信情報と、車両保持情報とを比較する（Ｓ１２０）。ここで、「車両保持情報」とは、例えば、予めワーキングメモリ２３上に展開されている発着信履歴情報に、Ｓ１１０でワーキングメモリ２３に格納された情報を付加した情報である。
【００６３】
そして、受信情報が、当該受信情報の受信中に発生した発着信に関する情報を反映しているか否かを判定する（Ｓ１２２）。情報更新制御部２２は、Ｓ１２０において、最新の所定件数の発着信履歴情報が完全に一致していた場合や、最新の所定件数の発着信履歴情報のうち、少なくとも発着信時刻が合致していた場合に、当該受信情報の受信中に発生した発着信に関する情報を反映していると判定する。
【００６４】
情報更新制御部２２は、受信情報が、当該受信情報の受信中に発生した発着信に関する情報を反映している場合には、受信情報に基づいて発着信履歴情報の書き換えを実施する（Ｓ１２４）。具体的には、前述のようにワーキングメモリ２３に格納された受信情報を、不揮発性メモリ２４の所定領域に上書き保存する。
【００６５】
一方、情報更新制御部２２は、受信情報が、当該受信情報の受信中の発着信に関する情報を反映していない場合には、車両保持情報に含まれるが受信情報に含まれない情報（以下、「追加情報」と称する）を、受信情報に付加して発着信履歴情報の書き換えを実施する（Ｓ１２６）。
【００６６】
具体的には、ワーキングメモリ２３に格納された受信情報のうち最も古い情報を１件（発着信が複数回行われた場合は複数件）削除し、追加情報を最新の情報として追加した上で、不揮発性メモリ２４の所定領域に上書き保存する。
【００６７】
なお、図２のフローチャートでは、電話帳情報の書き換えについて言及していないが、電話帳情報の受信が終了した以降、任意のタイミングでワーキングメモリ２３や不揮発性メモリ２４に最新の情報として格納してよい。電話帳情報は、受信中の発着信によって内容が変化するものではないからである。
【００６８】
［処理フロー（２）］
ここで、情報更新制御部２２は、追加情報が発着信時刻のみを含む場合は、当該発着信時刻において発着信された相手先の電話番号の送信を携帯電話７０に要求してもよい。
【００６９】
追加情報が発着信時刻のみを含むという状況は、（１）例えばハンズフリー通話のための無線ＬＡＮが確立された後に、携帯電話７０の操作によって発信がなされた場合に生じ得る。また、（２）着信があった際に車両側に電話番号を通知しない仕様となっている携帯電話７０が用いられている場合にも生じ得る。
【００７０】
図３は、係る場面を考慮した処理フローであり、情報更新制御部２２が実行する特徴的な処理の流れを示すフローチャートの他の例である。
【００７１】
Ｓ１００〜Ｓ１２４までの処理については、図２と同様であるため、説明を省略する。
【００７２】
情報更新制御部２２は、受信情報が受信中の発着信履歴情報を反映していない場合には、追加情報が、発着信時刻のみを含むか否かを判定する（Ｓ１２６＿１）。
【００７３】
情報更新制御部２２は、当該追加情報が、発着信時刻のみならず相手先の電話番号等を含む場合には、追加情報を受信情報に付加して発着信履歴情報の書き換えを実施する（Ｓ１２６＿２）。
【００７４】
一方、情報更新制御部２２は、当該追加情報が、発着信時刻のみを含む場合は、当該発着信時刻において発着信された相手先の電話番号の送信を携帯電話７０に要求する（Ｓ１２６＿３）。そして、その結果として受信された情報を受信情報に付加して発着信履歴情報の書き換えを実施する（Ｓ１２６＿４）。
【００７５】
［処理フロー（３）］
また、情報更新制御部２２は、受信情報が受信中の発着信履歴情報を反映していない場合には、再度、発着信履歴情報を含む情報の送信を携帯電話７０に要求してもよい。図４は、係る場合の処理フローであり、情報更新制御部２２が実行する特徴的な処理の流れを示すフローチャートの他の例である。
【００７６】
Ｓ１００〜Ｓ１２４までの処理については、図２と同様であるため、説明を省略する。
【００７７】
情報更新制御部２２は、受信情報が受信中の発着信履歴情報を反映していない場合には、Ｓ１０４に戻り、再度、発着信履歴情報の送信を要求する。以降の処理については、図２に即して説明したものと同様である。
【００７８】
［時間的変化］
以下、本実施例に係る車載ハンズフリー電話装置１において実行される処理、及び不揮発性メモリ２４等に格納される情報の時間的変化について説明する。
【００７９】
図５は、携帯電話７０からの情報受信中に発着信が発生しなかった場合の、処理及び格納される情報の時間的変化を模式的に示す図である。
【００８０】
図示するように、情報更新のための制御が開始されると、時刻ｔ１において電話帳情報の受信が開始される。
【００８１】
時刻ｔ２において、電話帳情報の受信が終了し、不揮発性メモリ２４における電話帳情報が新たな情報に更新され、発着信履歴情報の受信が開始される。
【００８２】
時刻ｔ３において、発着信履歴情報の受信が終了し、画像情報の受信が開始される。
【００８３】
時刻ｔ４において、画像情報の受信が終了し、不揮発性メモリ２４における発着信履歴情報及び画像情報が新たな情報に更新される。
【００８４】
図６は、携帯電話７０からの情報受信中に発着信が発生した場合の、処理及び格納される情報の時間的変化を模式的に示す図である。なお、本図では、情報送信中に発着信が発生した場合、携帯電話７０は情報送信を中断するものとする。
【００８５】
図示するように、情報更新のための制御が開始されると、時刻ｔ５において電話帳情報の受信が開始される。
【００８６】
時刻ｔ６において、電話帳情報の受信が終了し、不揮発性メモリ２４における電話帳情報が新たな情報に更新され、発着信履歴情報の受信が開始される。
【００８７】
時刻ｔ７において、携帯電話７０に着信が発生すると、当該着信に関する情報がワーキングメモリ２３に格納される（図では、履歴１件追加と表記した）。
【００８８】
時刻ｔ８において、携帯電話７０が情報送信を中断するため、発着信履歴情報の受信が中断されることになる。
【００８９】
時刻ｔ９において、ハンズフリー通話又は着信が終了すると、発着信履歴情報の受信が再開される。
【００９０】
時刻ｔ１０において、発着信履歴情報の受信が終了し、画像情報の受信が開始される。
【００９１】
時刻ｔ１１において、画像情報の受信が終了し、不揮発性メモリ２４における発着信履歴情報及び画像情報が新たな情報に更新される。
【００９２】
［まとめ］
以上説明した本実施例の車載ハンズフリー電話装置１、及び当該車載ハンズフリー電話装置１において実行されている発着信履歴情報更新方法によれば、携帯電話７０から発着信履歴情報の送信が行われている間に携帯電話７０を用いた発着信が発生した際には、携帯電話７０からＢＴモジュール３０を介して取得された発着信履歴情報に、当該発生した発着信に関する情報が反映されているか否かを判定し、反映されていない場合に、携帯電話７０から取得された発着信履歴情報に当該発生した発着信に関する情報を付加して不揮発性メモリ２４に記憶させるため、携帯電話７０との情報の共有を、より正確且つリアルタイムに行うことができる。
【００９３】
以上、本発明を実施するための最良の形態について実施例を用いて説明したが、本発明はこうした実施例に何等限定されるものではなく、本発明の要旨を逸脱しない範囲内において種々の変形及び置換を加えることができる。
【符号の説明】
【００９４】
１  車載ハンズフリー電話装置
１０  ディスプレイ装置
１２  入力デバイス
２０  ナビ／オーディオボード
２１  ハンズフリー通話制御部
２２  情報更新制御部
２３  ワーキングメモリ
２４  不揮発性メモリ
３０  ＢＴモジュール
４０  音声入出力装置
７０  携帯電話
８０  携帯電話基地局
【図１】
0005270633.tif 000002
【図２】
0005270633.tif 000003
【図３】
0005270633.tif 000004
【図４】
0005270633.tif 000005
【図５】
0005270633.tif 000006
【図６】
0005270633.tif 000007